(57)【要約】      （修正有）【課題】美容室等でパーマネントウェーブなどのように髪の毛を巻いてウェーブを形成させようとする時に使われるヘアカール用ロッドに関し、より詳しくは、ヘアカール用ロッドを改良することにより、効率を向上させ、新しい形態のパーマネントウェーブなどを可能にすることに関する。【解決手段】その外形が突出湾入されて形成される複数の桟部１１１と、前記桟部１１１の間に形成される穿孔部１１２が円筒状で形成されてなされる本体１１と、ここで、前記本体１１の両端部には平坦な外形で枠をなす支持部１１３が形成されており、端部には複数の係止溝１２１が形成され、円周の直角方向に複数の突起１２２が形成されて、前記本体１１と段部１２３を介して一体連結される握り１２とからなる。【選択図】図１
0003119081.tif 000002
【実用新案登録請求の範囲】
【請求項１】
その外形が突出湾入される形状からなる複数の桟部と、前記桟部の間に形成される穿孔部が円筒状で形成されてなされる本体と、前記本体の両端部には平坦な外形で枠をなす支持部が形成されており、端部には複数の係止溝が形成され、円周の直角方向に複数の突起が形成されて前記本体と段部を介して一体連結される握りと、
からなることを特徴とするヘアカール用ロッド。
【請求項２】
前記握りが本体の両端に形成されることを特徴とする請求項１に記載のヘアカール用ロッド。
【請求項３】
前記本体の一側に長手方向にスリット状で欠除部が形成されてなされることを特徴とする請求項１に記載のヘアカール用ロッド。
【考案の詳細な説明】
【技術分野】
【０００１】
本考案は、美容室等でパーマネントウェーブなどのように髪の毛を巻いてウェーブを形成させようとする時に使われるヘアカール用ロッドに関し、より詳しくは、ヘアカール用ロッドを改良することにより、効率を向上させ、新しい形態のパーマネントウェーブなどを可能にすることに関する。
【背景技術】
【０００２】
美容室等でパーマネントウェーブなどをするか、家庭で自家で髪の毛を巻いてウェーブを形成させようとする時、最も通常的に使用するヘアカール用ロッドは、図６及び図７に示すように、本体１１が円柱状となって中央部分が若干湾入される湾入部１１４となり、前記本体１１の両端部には係止溝１２１が形成されることが主流をなしており、その使用方式はロッド１の外周に髪の毛２を当てて端部から回しながら巻いた後、両係止溝１２１を利用してゴムバンド（図示していない）で縛って固定して、所定時間経過後に解くことで、ウェーブを形成するようにすることが一般的である。また、従来の考案では本体１１の摩擦力を向上させて髪の毛２がよく巻かれるように表面または本体１１の全体をゴムやウレタンで形成させたのであり、本体１１と握り１２が合う部分の内側には側板１１５が形成されて本体１１の内部を密閉している。
しかしながら、このような方式は煩雑であり、髪の毛の固定も容易でなく、かつ、正確なウェーブの形成が困難であって、施術者の高度な手性に依存するところが大きくて、特に施術中に被施術者の行動を制限する等の問題があった。
【考案の開示】
【考案が解決しようとする課題】
【０００３】
本考案は上述の問題を解消しようと案出したものであって、ウェーブ形成が容易で、かつ、正確にウェーブを形成するようにして誰でも使用することができるヘアカールを提供し、そのような構造が容易で、かつ、安値でなされるようにし、特に、施術中でも被施術者が動くことに不便を最小化し、毛髪に影響を与える化学薬剤の悪影響を最小化できるように完成された考案である。
このために、本考案は筒状体からなって毛髪が容易に巻かれるように本体を従来のロッド本体より長くしてその両端または一端に握りを形成し、本体には通気が容易であるようにする構造を採択してなされるが、これを図面により詳細に説明すれば次の通りである。
【課題を解決するための手段】
【０００４】
図１は本考案の一構成状態図であり、図２は図１のＡ−Ａ線断面図である。
本考案のロッド１は、図示のように、その外形が突出湾入される形状からなる複数の桟部１１１と、前記桟部１１１の間に形成される穿孔部１１２が円筒状で形成されてなされる本体１１と、ここで、前記本体１１の両端部には平坦な外形で枠をなす支持部１１３が形成されており、端部には複数の係止溝１２１が形成され、円周の直角方向に複数の突起１２２が形成されて前記本体１１と段部１２３を介して一体連結される握り１２からなる。
図３は、本考案の他の構成状態図である。
前記の構成において、前記握り１２が本体１１の両端に形成されることを特徴とすれば好ましい。
図４は本考案の又別の構成状態図である。
前記の構成において、前記本体１１の一側に長手方向にスリット状で欠除部１４が形成されてなることを特徴とすればより好ましい。
【考案の効果】
【０００５】
本考案は、ウェーブ形成が容易で、かつ、正確にウェーブを形成するようにして誰でも使用することができるヘアカールを提供し、そのような構造が容易で、かつ、安値でなされるようにし、特に、施術中でも被施術者が動くことに不便を最小化し、毛髪に影響を与える化学薬剤の悪影響を最小化できるように完成された効果的で、かつ、有用な考案である。
【考案を実施するための最良の形態】
【０００６】
上記のように構成される本考案の各部の機能をウェーブを形成する施術過程を記述しながら共に注意深くみれば次の通りである。
本考案の一実施形態によれば、美容室や家庭で毛髪にウェーブまたはパーマネントウェーブ（以下、"パーマネントウェーブ等"と記載する）をしようとする場合、髪を洗って（必要によっては省略可能）、パーマネントウェーブなどが適合するように毛髪に軟化剤を塗布して髪の毛２を柔らかにした後、紙または不織布を 毛髪に覆いかぶせた後、本考案のロッド１の外周に巻いてあげるが、本考案のロッド１は本体１１がその外形が突出湾入される形状となる、複数の桟部１１１と前記桟部１１１の間に形成される穿孔部１１２が円筒状で形成されてなされるものであるので、凹込／凹凸された本体１１の外周か充分な摩擦力を有して容易に髪の毛２またはそれを覆いかぶせた紙（不織布等）を外周に巻かれるようにし、その上、凹込／凹凸された本体１１は凹凸部間に角を形成して巻かれる髪の毛２にビードを形成させることになって、形状維持力が数等向上するようになり、桟部１１１間に形成される穿孔部１１２により各桟部１１１、１１１、・・・は前後に容易に押されることができるので、髪の毛２を巻いてあげる際、しっかり握って髪の毛２を巻けば直径が減った状態で巻かれることになり、手を放すと復元されながら直径が再度大きくなることになって巻かれた髪の毛２を引くことになって、結局、髪の毛２が堅く巻かれることになり、しかも、図６に図示された従来の考案では中央部が凹んだクラウンを形成して巻かれた髪の毛２の中央部に偏ってウェーブが形成されてロッド１を除去すれば楕円状のウェーブになるが、本考案のロッド１の本体１１は一字状となっているので、均一な真円でウェーブを形成できることになる。
また、握り１２の端部には複数の係止溝１２１が形成され、円周の直角方向に複数の突起１２２が形成されて、前記本体１１と段部１２３を介して一体連結されるものであるので、施術者が、たとえ油または化学薬品が手に付いていても握り１２を握って回すと滑落ちなくて容易にロッド１を回転させてロッド１の外周に髪の毛２を巻くことができるようになり、本体１１と握り１２との間には段部１２３が介されて、巻かれた髪の毛２が横に押されることを防止し、本体１１の外周に巻かれた髪の毛２が巻かれたままで所定時間維持されるようにするために、後述のようにゴムバンドで弾支させる場合、巻かれた髪の毛２がゴムバンドによって押さえられて潰されることを防止できることになる。
【０００７】
この状態で図３に図示された本考案の一構成では、本体１１の両側に形成される握り１２、１２に形成される係止溝１２１間にゴムバンド（図示していない）を弾支して髪の毛２がロッド１に巻かれたままで所定時間支持されるようにするか、または、図１及び図２に示すように、本体１の一側のみに握り１２が形成された場合は、髪の毛２の上段部と巻かれたヘアカールとの間に糊または接着剤を使用して付着させることにより巻かれた髪の毛２がその状態を維持するようにした後、ロッド１の本体１１から巻かれた髪の毛２を取り出すようにするが、この際、本体１１は握り１２のない側に細くなるようにテーパが形成されていれば抵抗なしに取出可能であって、巻かれた状態が解けないように容易に取出できるので好ましい。
そして、髪の毛２が巻かれた状態で{ロッド１をした状態または取り出した状態両方とも該当する}ウェーブを維持するように形維持剤として毛髪に酸化剤を塗布するが、ロッド１が着設された状態であっても本体１１は中央が空いている円筒状となり、更に、桟部１１１の間間に穿孔部１１２が形成されてこれを通じてバブル状の酸化剤が毛髪に適切に浸透して満遍なく塗布されることにより形状維持力を極大化できるようになり{従来の考案では本体１１の横面に側板１１５が形成されるか、または、本体１１が一杯になった形態になって、本体１１の内部に薬剤の投入が不可能である}、また、穿孔部１１２を通じて空気の疎通が円滑であって、酸化剤の作用を十分発揮するようにし、特に、図５に示すように、本考案のロッド１はその桟部１１１が湾曲型で凹込／凹凸されているので、髪の毛２と一部のみで接触することになり、したがって毛細管現状によって髪の毛２とロッド１の桟部１１１との間に保留される軟化剤（図５に黒点で図示）を最小化することで毛髪を保護して形状維持剤の酸化剤が、既に塗布されていた軟化剤により髪の毛２と接触できないようにすることを最小化することにより浸透力を向上させて寿命が長いパーマネントウェーブなどをすることがでできる。
また、本体１１が、たとえ桟部１１１と穿孔部１１２とからなるが、前記本体１１の両端部には平坦な外形で枠をなす支持部１１３が形成されていて、桟部１１１と穿孔部１１２を円筒状の本体１１からなるように適切に支持できるようになる。
しかも、図４に示すように、前記本体１１の一側に長手方向にスリット状で欠除部１４が形成されていれば、本体１１がテーパがないか、傾斜度が低くても欠除部１４により本体１１の一側を窄めることができて、巻かれた髪の毛２をロッド１の本体１１から容易に取り出すことができるので、より好ましい。
【図面の簡単な説明】
【０００８】
【図１】本考案の一構成状態図である。
【図２】図１のＡ−Ａ線断面図である。
【図３】本考案の他の構成状態図である。
【図４】本考案の又他の構成状態図である。
【図５】本考案の使用状態図である。
【図６】従来の考案の構成状態図である。
【図７】図６のＢ−Ｂ線断面図である。
【符号の説明】
【０００９】
１  ロッド    １１  本体    １１１  桟部    １１２  穿孔部
１１３  支持部    １１４  湾入部    １１５  測板    １２  握り
１２１  係止溝    １２２  突起    １２３  段部    １３  表示部
１３１  寸法    １４  欠除部    ２  髪の毛
【図１】
0003119081.tif 000003
【図２】
0003119081.tif 000004
【図３】
0003119081.tif 000005
【図４】
0003119081.tif 000006
【図５】
0003119081.tif 000007
【図６】
0003119081.tif 000008
【図７】
0003119081.tif 000009